(57)【要約】【課題】部品管理が容易で取付作業が容易な部品の取付構造を提供する。【解決手段】取付構造は、取付部材の取付孔に取り付けられる本体部材２０と、本体部材２０に回転可能に連結され、本体部材２０の裏側を覆うカバー部材２２と、を備える。本体部材２０は、フランジ部４６と、本体部材２０の一端に張り出し、フランジ部４６と取付孔の縁を挟む剛体爪３６と、を有する。カバー部材２２は、本体部材２０に係止可能な係止部と、係止部が本体部材２０に係止した状態で他端側のフランジ部４６と取付孔の縁を挟む挟持部８６と、を有する。【選択図】図８
2019202686.tif 000002
【特許請求の範囲】
【請求項１】
取付部材の取付孔に取付部材の表側から取り付けられる本体部材と、
前記本体部材に回転可能に連結され、前記本体部材の裏側を覆うカバー部材と、を備え、
前記本体部材は、
フランジ部と、
前記本体部材の一端に張り出し、前記フランジ部と取付孔の縁を挟む剛体爪と、を有し、
前記カバー部材は、
前記本体部材に係止可能な係止部と、
前記係止部が前記本体部材に係止した状態で他端側の前記フランジ部と取付孔の縁を挟む挟持部と、を有することを特徴とする部品の取付構造。
【請求項２】
前記カバー部材は、前記本体部材の一端であって、前記剛体爪より取付部材の裏面より離れた位置で軸支されることを特徴とする請求項１に記載の部品の取付構造。
【請求項３】
前記カバー部材および前記本体部材の一方は、軸部を有し、前記カバー部材および前記本体部材の他方は、前記軸部に連結するＣ字状の軸受部を有することを特徴とする請求項１または２に記載の部品の取付構造。
【請求項４】
前記係止部は、一端から他端に向かって離れて複数設けられ、前記本体部材の内側から係止する前記係止部と、前記本体部材の外側から係止する前記係止部を含むことを特徴とする請求項１から３のいずれかに記載の部品の取付構造。
【発明の詳細な説明】
【技術分野】
【０００１】
本発明は、本体部材をカバー部材によって取付部材に取り付ける部品の取付構造に関する。
【背景技術】
【０００２】
特許文献１には、車両の荷室に配設されるボードに取り付けられるハンドル装置が開示されている。このハンドル装置は、ボードの取付孔に取り付けられる本体部と、本体部の表面側から操作可能に本体部に回動自在に軸支される操作部と、ボードを車両の荷室の被ロック体にロックし、操作部の回動によってロック解除可能であるロック部と、本体部の裏面を覆うカバー部とを備える。
【先行技術文献】
【特許文献】
【０００３】
【特許文献１】特開２０１２−６２０３１号公報
【発明の概要】
【発明が解決しようとする課題】
【０００４】
特許文献１に開示されるハンドル装置では、ボードに取り付けられる前は本体部とカバー部が別々にあり、本体部の周縁部とカバー部の周縁部とがボードの取付孔の縁を挟み、ネジによりカバー部を本体部に固定することで、ハンドル装置がボードに取り付けられる。
【０００５】
本発明の目的は、部品管理が容易で取付作業が容易な部品の取付構造を提供することにある。
【課題を解決するための手段】
【０００６】
上記課題を解決するために、本発明のある態様の部品の取付構造は、取付部材の取付孔に取付部材の表側から取り付けられる本体部材と、本体部材に回転可能に連結され、本体部材の裏側を覆うカバー部材と、を備える。本体部材は、フランジ部と、本体部材の一端に張り出し、フランジ部と取付孔の縁を挟む剛体爪と、を有する。カバー部材は、本体部材に係止可能な係止部と、係止部が本体部材に係止した状態で他端側のフランジ部と取付孔の縁を挟む挟持部と、を有する。
【発明の効果】
【０００７】
本発明によれば、部品管理が容易で取付作業が容易な部品の取付構造を提供できる。
【図面の簡単な説明】
【０００８】
【図１】実施例の開閉装置の斜視図である。
【図２】開状態の本体部材について説明するための図である。
【図３】蓋部の裏面およびベース部の表面を示す本体部材の平面図である。
【図４】図２（ａ）に示す本体部材の線分Ａ−Ａ断面図である。
【図５】カバー部材の斜視図である。
【図６】取付部材に取り付けた開閉装置の断面図である。
【図７】操作部への操作により蓋部の開く動作について説明するための図である。
【図８】取付部材に取り付ける前の開閉装置を示す図である。
【図９】開閉装置の裏側の斜視図である。
【発明を実施するための形態】
【０００９】
図１は、実施例の開閉装置１０の斜視図である。図１（ａ）は開閉装置１０の蓋部３２をロックして閉じた状態を示し、図１（ａ）は蓋部３２をロック解除して開いた状態を示す。このように開閉装置１０の蓋部３２は、開閉可能に設けられる。
【００１０】
例えば、開閉装置１０は平板状のボードに取り付けられる。平板状のボードは、車両の後部に設けられるトランクルームを上下に仕切るために、トランクルームに設けられる。トランクルームの下室には例えばスペアタイヤが載置される。
【００１１】
トランクルームの下室の荷物を出し入れする場合に、ユーザによってボードが持ち上げられるが、開閉装置１０は、ユーザによってボードを把持するための取っ手としても用いられる。開閉装置１０にはフック７０が形成され、後部座席裏側にフック７０を引っ掛けることで、ボードを持ち上げた状態で静止させて、トランクルームの下室の荷物を出し入れできる。このように、開閉装置１０はボードに取り付けられるハンドル装置としても機能する。
【００１２】
開閉装置１０は、本体部材２０およびカバー部材２２により構成される。本体部材２０は、ボードなどの取付部材の取付孔に取付部材の表側から取り付けられる。カバー部材２２は、本体部材２０に回転可能に連結され、本体部材２０の裏側から本体部材２０の底部４２を覆う。カバー部材２２は、本体部材２０のフランジ部４６と取付孔の縁を挟み、本体部材２０を取付部材に取り付けるために設けられる。
【００１３】
本体部材２０は、ベース部３０、蓋部３２、操作部３４および回転軸部６６を有し、ベース部３０、蓋部３２、操作部３４および回転軸部６６が樹脂材料により一体に成形されている。ベース部３０は、箱形状に形成され、蓋部３２により開閉される開口３１を有する。
【００１４】
蓋部３２は、回転軸部６６によりベース部３０に回転可能に設けられ、ベース部３０にロックされた閉状態と、ロック解除された開状態とをとる。回転軸部６６は、ベース部３０の一端に位置し、薄肉に形成されて撓み可能である。回転軸部６６は、蓋部３２を開くように付勢手段として機能してよく、付勢しなくてもよい。操作部３４は、ベース部３０に立設し、回転するように撓み可能に設けられる。
【００１５】
蓋部３２には、図１（ａ）に示す閉状態において操作部３４を露出させる開口部７２を有する。操作部３４の凸状のロック部６４が、蓋部３２の凹状の被ロック部６８ａに入り込み、蓋部３２を閉状態にロックしている。
【００１６】
図１（ａ）に示す操作部３４をユーザが押すと、操作部３４が撓んでロック部６４および被ロック部６８ａのロックが解除され、蓋部３２が閉状態から図１（ｂ）示す開状態になる。
【００１７】
図２は、開状態の本体部材２０について説明するための図である。図２（ａ）は蓋部３２の表面およびベース部３０の裏面を示し、図２（ｂ）は本体部材２０の側面を示す。また、図３は、蓋部３２の裏面およびベース部３０の表面を示す本体部材２０の平面図である。図４は、図２（ａ）に示す本体部材２０の線分Ａ−Ａ断面図である。
【００１８】
ベース部３０は、剛体爪３６、第１軸部３８ａ、第２軸部３８ｂ、軸支持部４０、底部４２、側部４４、フランジ部４６、持ち上げ片４８、スリット５０、第１被係止部５２ａ、第２被係止部５２ｂ、第３被係止部５２ｃ、底孔部５６、第１リブ５８ａおよび第２リブ５８ｂを有する。
【００１９】
底部４２の外周端から立設して側部４４が壁状に形成される。フランジ部４６は、側部４４の上端から外向きに張り出す。フランジ部４６の一端に回転軸部６６が形成され、フランジ部４６の他端部４６ａは、他のフランジ部４６より厚肉に形成される。
【００２０】
図２（ｂ）には、剛体爪３６が一端側のフランジ部４６の下側に、フランジ部４６と対向して設けられる。剛体爪３６は、側部４４の一端面の中途から外向きに張り出す。剛体爪３６は、フランジ部４６と取付孔の縁を挟んで、開閉装置１０を取付部材に固定する。剛体爪３６は、板状に形成されており、取付孔の縁に差し込む際に、剛体爪３６は撓み可能である。
【００２１】
軸支持部４０は、剛体爪３６より底部４２側で剛体爪３６を支持するように形成され、側部４４の一端面に形成される。軸支持部４０の両端には、第１軸部３８ａおよび第２軸部３８ｂが突出するように形成される。図２（ａ）に示すように、第１軸部３８ａおよび第２軸部３８ｂは外径が異なるように形成されており、カバー部材２２の誤組み付けを防ぐように構成されている。第１軸部３８ａおよび第２軸部３８ｂは、カバー部材２２を回転可能に支持する。
【００２２】
側部４４の外側面には、第１被係止部５２ａ、第２被係止部５２ｂおよび第３被係止部５２ｃ（これらを区別しない場合、「被係止部５２」という）が形成される。被係止部５２は、カバー部材２２に係止され、ベース部３０の外側面に一端から他端に向かって離れて形成される。第１被係止部５２ａおよび第２被係止部５２ｂは、凹状に形成され、第３被係止部５２ｃは凸状に形成される。側部４４の他端面には、カバー部材２２に係止される被係止孔部４７が形成される。
【００２３】
底部４２には、操作部３４を成形するための底孔部５６と、略Ｕ字状のスリット５０と、スリット５０により形成された持ち上げ片４８と、ロック部６４を成形するための抜き孔４３が形成される。底孔部５６は、操作部３４の底側に位置する貫通孔である。
【００２４】
持ち上げ片４８は、底部４２を切り欠くように形成され、操作部３４側から他端部４６ａ側に延出し、他端部４６ａ側が自由端となっている。持ち上げ片４８は、操作部３４への操作に連動して底部４２から上方のフランジ部４６側へ動く。持ち上げ片４８は、底部４２の幅より少し小さく、操作部３４の幅と略同じ長さに設定される。
【００２５】
図３に示すように、持ち上げ片４８と操作部３４の間には、一対の第１リブ５８ａと、一対の第２リブ５８ｂとが設けられる。第１リブ５８ａは、底部４２と操作部３４をつなげるように設けられ、持ち上げ片４８を操作部３４に連動しやすくする。第１リブ５８ａは、第２リブ５８ｂより幅方向Ｗ内側に位置し、第２リブ５８ｂより他端部４６ａ側に長くなるように形成される。連結部５３は、底部４２に形成され、ベース部３０および操作部３４を一体に連結し、撓み可能である。連結部５３より、底部４２の第１リブ５８ａおよび第２リブ５８ｂを設けられた部分の剛性が増し、操作部３４の操作時に連結部５３が撓みやすく、持ち上げ片４８につながる部分は撓みにくくなって、持ち上げ片４８が操作部３４に連動して回転するように動くように構成できる。
【００２６】
図３には、スリット５０のスリット端５０ａと、底孔部５６の縁をつなぐ底部４２の連結部５３を破線で示しており、操作部３４を操作した際に撓む。底部４２の連結部５３は、操作部３４の根元の両端側に位置し、持ち上げ片４８より幅方向外側に位置する。連結部５３に近い第２リブ５８ｂを第１リブ５８ａより短くすることで、連結部５３の撓みやすさを確保でき、操作部３４に連動して持ち上げ片４８を動かすことができる。
【００２７】
図３に示すように、ベース部３０の一端から他端に向かう長さ方向Ｌにおいて、第１リブ５８ａは、スリット端５０ａとほぼ同じ位置まで延びる。これにより、持ち上げ片４８を操作部３４と連動しやすくできる。第２リブ５８ｂは、幅方向Ｗにおいて、持ち上げ片４８の側縁と略同じ位置に設けられる。これにより、持ち上げ片４８を操作部３４と連動しやすくできる。操作側リブ６３により、支持部６０が屈曲しづらくなり、連結部５３が撓みやすくなり、持ち上げ片４８を操作部３４と連動しやすくできる。
【００２８】
蓋部３２は、壁部６８、フック７０および開口部７２を有する。フック７０は、図２（ｂ）に示すように、蓋部３２の先端側に形成され、鉤爪状に形成される。壁部６８は、図４に示すように先端側の開口部７２の縁から垂下するように設けられ、孔状の被ロック部６８ａを有する。
【００２９】
操作部３４は、ベース部３０の底部４２から立設する支持部６０と、蓋部３２の閉状態において開口部７２から露出する操作面６２と、操作面６２および支持部６０に渡って形成される操作側リブ６３と、蓋部３２の被ロック部６８ａに出入り可能なロック部６４とを有する。支持部６０は幅方向に延在するように壁状に形成され、操作面６２およびロック部６４を支持し、操作面６２の移動に応じて回転するように動く。
【００３０】
操作面６２は、支持部６０と直交するように支持部６０の上端に形成され、長さ方向Ｌにおいて回転軸部６６に向かって、つまりベース部３０の一端に向かって延出する。操作面６２は、蓋部３２の閉状態において、開口部７２に収まり、開閉装置１０の表面を一様にする。
【００３１】
操作面６２はベース部３０の一端に向かって延出するのに対し、持ち上げ片４８は逆方向である他端に向かって延出する。これにより、ユーザが操作面６２を押せば、揺動して持ち上げ片４８が上方に上がる。つまり、操作面６２が下がると持ち上げ片４８が上がるように構成される。
【００３２】
図５は、カバー部材２２の斜視図である。カバー部材２２は、第１軸受部７４ａ、第２軸受部７４ｂ、ストッパ部７６、側壁部７８、第１係止部８０ａ、第２係止部８０ｂ、第３係止部８０ｃ、カバー係止部８４および挟持部８６を有する。カバー部材２２は、略平板状に形成される。
【００３３】
第１軸受部７４ａおよび第２軸受部７４ｂは、Ｃ字状に形成され、第１軸部３８ａおよび第２軸部３８ｂにそれぞれ連結される。第１軸受部７４ａは、第２軸受部７４ｂより小径に形成される。第１軸受部７４ａおよび第２軸受部７４ｂをＣ字状に形成することで、棒状の第１軸部３８ａおよび第２軸部３８ｂに容易に取り付けることができる。
【００３４】
ストッパ部７６は、ベース部３０の底孔部５６から突出して操作部３４の過度な撓みを制限する。また、ストッパ部７６は、底孔部５６を塞ぐ。側壁部７８は、カバー部材２２の基端側、すなわち回転軸側に形成される。挟持部８６の両端に側壁部７８を設けることで、挟持部８６の剛性を高めることができる。
【００３５】
第１係止部８０ａ、第２係止部８０ｂおよび第３係止部８０ｃは、本体部材２０の第１被係止部５２ａ、第２被係止部５２ｂおよび第３被係止部５２ｃにそれぞれ係止可能である。第１係止部８０ａおよび第２係止部８０ｂはカバー部材２２の側部７９に凸状に形成され、第３係止部８０ｃは側壁部７８に凹状に形成される。第１係止部８０ａおよび第２係止部８０ｂと、第３係止部８０ｃとは、高さが異なっており、第３係止部８０ｃが第１係止部８０ａおよび第２係止部８０ｂより上方の位置に形成される。第４係止部８０ｄは、挟持部８６から回転軸側に向かって突出し、本体部材２０の被係止孔部４７に係止可能である。第１係止部８０ａ、第２係止部８０ｂ、第３係止部８０ｃおよび第４係止部８０ｄは、区別しない場合「係止部８０」といい、いずれも本体部材２０に係止する。
【００３６】
挟持部８６は、カバー部材２２の先端に設けられ、平板状のカバー部材２２から立設するように設けられ、剛性が高められている。挟持部８６は、係止部８０が本体部材２０に係止した状態で、フランジ部４６の他端部４６ａと取付孔の縁を挟む。
【００３７】
図６は、取付部材１２に取り付けた開閉装置１０の断面図である。開閉装置１０は、取付部材１２の取付孔１２ａに取り付けられる。フランジ部４６と剛体爪３６が取付孔１２ａの一端側の縁を挟み、フランジ部４６の他端部４６ａとカバー部材２２の挟持部８６が取付孔１２ａの他端側の縁を挟んで、開閉装置１０が取付部材１２に固定される。
【００３８】
操作部３４のロック部６４が蓋部３２の被ロック部６８ａに入って、蓋部３２が閉状態に維持されている。閉状態の蓋部３２のフック７０は、ベース部３０に収容され、持ち上げ片４８の先端部分に当接または近接している。カバー部材２２のストッパ部７６は、底孔部５６に入って操作面６２の下に位置し、操作部３４の過度な撓みを制限している。
【００３９】
図７は、操作部３４への操作により蓋部３２の開く動作について説明するための図である。ユーザは、蓋部３２の開口部７２から露出した操作部３４の操作面６２を底部４２に向かって押す。操作面６２が底部４２に向かって沈み込み、支持部６０の下端を支点８８として回転するように撓む。これは、操作面６２および支持部６０が操作側リブ６３により撓みにくくなっており、図３に示す連結部５３が主に撓むためである。
【００４０】
操作部３４が支持部６０の下端を支点８８として回転するように動くことで、ロック部６４が被ロック部６８ａから離脱し、ロック解除される。そして操作部３４の動きに連動した持ち上げ片４８が蓋部３２のフック７０を持ち上げて、蓋部３２が開方向に回転し、蓋部３２がベース部３０から出た状態となる。これにより、ユーザは蓋部３２の開口部７２に指を挿入して蓋部３２を把持し、取付部材１２を引き上げることができる。また、持ち上げ片４８の先端部分で蓋部３２を持ち上げることで、操作部３４の移動量に対する蓋部３２の持ち上げ量を大きくできる。また、持ち上げ片４８が底部４２に設けられることで、操作面６２の移動量に対する蓋部３２の持ち上げ量を大きくできる。また、ロック部６４が支持部６０の上端に設けられることで、操作面６２の移動量に対する被ロック部６８ａから離れる方向の移動量を大きくとることができる。
【００４１】
ユーザが操作部３４を押すだけで、持ち上げ片４８により蓋部３２が持ち上げられるため、蓋部３２を確実に開くことができる。ユーザが操作部３４から手を離せば、操作部３４は復元力により元の位置に戻る。また、ユーザが蓋部３２を閉方向に回転すると、壁部６８がロック部６４に当たって操作部３４を回転させて蓋部３２を閉じ、操作部３４が復元力により元の位置に戻りロック部６４が被ロック部６８ａに入ってロックされる。このように、連結部５３の復元力で操作部３４を元の位置に移動できるため、別部材のバネを用いる場合と比べて安価に製造できる。
【００４２】
支持部６０の立設方向の先端側に操作面６２が位置し、支持部６０の基端側、すなわち根元側に持ち上げ片４８が位置する。これにより、操作面６２の移動量に対する持ち上げ片４８の先端の移動量が増すことができる。操作部３４が過度に押し込まれた場合にはストッパ部７６に当たって、ストッパ部７６が操作部３４の回転を制限できる。
【００４３】
図８は、取付部材１２に取り付ける前の開閉装置１０を示す図である。カバー部材２２は、基端側が第１軸部３８ａおよび第２軸部３８ｂに回転可能に連結されている。取付部材１２に取り付ける際、ユーザは、カバー部材２２から取付孔１２ａに挿入させ、本体部材２０のフランジ部４６を取付孔１２ａの表側の縁に引っ掛け、一端側のフランジ部４６と剛体爪３６で取付孔１２ａの縁を挟ませる。次に、ユーザが挟持部８６を他端部４６ａに近づけるようにカバー部材２２を回転させると、係止部８０が被係止部５２にそれぞれ係止して、挟持部８６とフランジ部４６の他端部４６ａとが取付孔１２ａの縁を挟み、取付作業が完了する。
【００４４】
軸支持部４０をベース部３０の一端で剛体爪３６の下側に連接または近接して設けることで、カバー部材２２が本体部材２０の裏側の底を全て覆うように構成できる。剛体爪３６の下側は、取付部材１２の裏面から剛体爪３６より離れた位置である。また、カバー部材２２を軸支する構成を剛体爪３６の下側に設けることで、剛体爪３６の過度な撓みを制限できる。
【００４５】
図９は、開閉装置１０の裏側の斜視図である。カバー部材２２の側壁部７８は、本体部材２０の側部４４の外側に位置し、側壁部７８より回転軸側のカバー部材２２の側部７９は本体部材２０の側部４４の内側に位置する。側壁部７８を本体部材２０の外側に配置して、挟持部８６の剛性を高めることができる。
【００４６】
複数の係止部８０のうち、本体部材２０の外側から係止する係止部８０と、本体部材２０の内側から係止する係止部８０を設けることで、仮に一対の側部４４が幅方向に拡開するように撓んでも、本体部材２０の外側から係止する係止部８０の係止が外れないため、カバー部材２２が本体部材２０から外れにくくなっている。
【００４７】
本発明は上述の各実施例に限定されるものではなく、当業者の知識に基づいて各種の設計変更等の変形を各実施例に対して加えることも可能であり、そのような変形が加えられた実施例も本発明の範囲に含まれうる。
【００４８】
実施例では、第１軸部３８ａおよび第２軸部３８ｂを本体部材２０に形成し、第１軸受部７４ａおよび第２軸受部７４ｂをカバー部材２２に形成する態様を示したが、この態様に限られず、第１軸部３８ａおよび第２軸部３８ｂをカバー部材２２に形成し、第１軸受部７４ａおよび第２軸受部７４ｂを本体部材２０に形成してもよい。
【００４９】
また、実施例では連結部５３がベース部３０の底部４２に形成される態様を示したが
、この態様に限られず、ベース部３０の側部４４から幅方向内向きに突出するように形成されてよい。いずれにしても連結部５３は、ベース部３０と操作部３４を一体に連結し、トーションバーのように機能する。
【００５０】
また、実施例では、持ち上げ片４８が底部４２に形成される態様を示したが、この態様に限られない。例えば、持ち上げ片４８は、支持部６０の側面の中途から延出するように形成されてよい。
【符号の説明】
【００５１】
１０  開閉装置、  １２  取付部材、  １２ａ  取付孔、  ２０  本体部材、  ２２  カバー部材、  ３０  ベース部、  ３２  蓋部、  ３４  操作部、  ３６  剛体爪、  ３８ａ  第１軸部、  ３８ｂ  第２軸部、  ４０  軸支持部、  ４２  底部、  ４４  側部、  ４６  フランジ部、  ４６ａ  他端部、  ４７  被係止孔部、  ４８  持ち上げ片、  ５０  スリット、  ５２ａ  第１被係止部、  ５２ｂ  第２被係止部、  ５２ｃ  第３被係止部、  ５３  連結部、  ５６  底孔部、  ５８ａ  第１リブ、  ５８ｂ  第２リブ、  ６０  支持部、  ６２  操作面、  ６３  操作側リブ、  ６４  ロック部、  ６６  回転軸部、  ６８  壁部、  ６８ａ  被ロック部、  ７０  フック、  ７２  開口部、  ７４ａ  第１軸受部、  ７４ｂ  第２軸受部、  ７６  ストッパ部、  ７８  側壁部、  ７９  側部、  ８０ａ  第１係止部、  ８０ｂ  第２係止部、  ８０ｃ  第３係止部、  ８０ｄ  第４係止部、  ８６  挟持部、  ８８  支点。
【図１】
2019202686.tif 000003
【図２】
2019202686.tif 000004
【図３】
2019202686.tif 000005
【図４】
2019202686.tif 000006
【図５】
2019202686.tif 000007
【図６】
2019202686.tif 000008
【図７】
2019202686.tif 000009
【図８】
2019202686.tif 000010
【図９】
2019202686.tif 000011